(57)【要約】  記載されているのは、手術台（１０２）に付属品（１２）を解放可能に取り付ける装置であり、互いに連結されることが可能な２つの結合部（１０、１００）とロックしかつロック解除する機構とを備える装置である。機構は、第１結合部（１０）に配置された第１ロック要素（２６）および第２結合部（１００）に配置された第２ロック要素（１１４）と、第１結合部（１０）に配置され、ロック位置に付勢され、それが２つのロック要素（２６、１１４）のうちの一方（１１４）に作用するロック解除位置に、付勢に抗して移動が可能であり、それにより２つのロック要素（２６、１１４）が互いから離脱する、ロック解除要素（２８）と、第１結合部（１０）に配置され、ロック解除要素（２８）を付勢に抗してそのロック解除位置で維持する留め要素（４０）と、第１結合部（１０）に配置され、第１位置に付勢され、結合部（１０、１００）が互いに連結されると第２結合部（１００）によって作用され、付勢に抗して第２位置に押し込まれる解放要素（４６）と、を備える。解放要素（４６）は、その第１位置において留め要素（４０）に作用して、留め要素がロック解除要素（２８）から離脱するようにする。【選択図】図３
2010512818.tif 000002
【特許請求の範囲】
【請求項１】
手術台（１０２）に付属品（１２）を解放可能に取り付ける装置であり、
互いに連結されることが可能な２つの結合部（１０、１００）であって、そのうちの第１結合部（１０）が前記付属品（１２）に配置され、そのうちの第２結合部（１００）が前記手術台（１０２）に配置される、結合部（１０、１００）と、
前記２つの結合部（１０、１００）間の連結をロックしかつロック解除する機構と、
を備える装置であって、
前記機構が、
−ロックするため互いに係合することができ、ロック解除するため互いに離脱することができる、前記第１結合部（１０）に配置された第１ロック要素（２６）および前記第２結合部（１００）に配置された第２ロック要素（１１４）と、
−前記第１結合部（１０）に移動可能に配置された手動作動可能なロック解除要素（２８）であって、ロック位置に付勢され、それが前記２つのロック要素（２６、１１４）のうちの一方（１１４）に作用するロック解除位置に、前記付勢に抗して移動が可能であり、それにより前記２つのロック要素（２６、１１４）が互いに離脱する、ロック解除要素（２８）と、
−前記第１結合部（１０）に移動可能に配置され、前記ロック解除要素（２８）を前記付勢に抗してそのロック解除位置で維持する留め要素（４０）と、
−前記第１結合部（１０）に移動可能に配置され、第１位置に付勢され、前記結合部（１０、１００）が互いに連結されると前記第２結合部（１００）によって作用され、前記付勢に抗して第２位置に押し込まれる解放要素（４６）と、
を備え、
−前記解放要素（４６）が、その第１位置において前記留め要素（４０）に作用して、前記留め要素（４０）が前記ロック解除要素（２８）から離脱するようにすることを特徴とする、装置。
【請求項２】
前記第１ロック要素が穴（２６）であり、前記第２ロック要素が移動可能に取り付けられたピン（１１４）であり、ピン（１１４）が、前記結合部（１０、１００）が互いに連結されると前記穴（２６）に係合するように、第１付勢要素（１２０）を介して弾性的に付勢されることを特徴とする、請求項１に記載の装置。
【請求項３】
前記ロック解除要素（２８）が、
前記穴（２６）に摺動可能に取り付けられ、
第２付勢要素（３４）を介して前記ロック位置に弾性的に付勢され、
前記ピン（１１４）と反対側のその端部に外部から作動可能な押しボタン（３０）と、前記ピン（１１４）に面するその端部にシャフト（３２）と、を有し、前記シャフトが、前記押しボタン（３０）の作動時に前記ピン（１１４）を前記穴（２６）から押し出すことを特徴とする、請求項２に記載の装置。
【請求項４】
前記押しボタン（３０）が、実質的に中空シリンダとして形成され、前記ピン（１１４）に面するその端部が開放しており、前記ピン（１１４）とは反対側のその端部が閉鎖しており、
前記中空シリンダの外面が、シリンダ軸に対して垂直な環状溝（３８）を有し、
前記留め要素（４０）が、前記シリンダ軸に対して平行に移動不可能に、かつ前記シリンダ軸に対して垂直に移動可能に取り付けられ、第３付勢要素（４２）を介して前記中空シリンダの前記外面に弾性的に付勢され、前記ロック解除要素（２８）の前記ロック解除位置において前記溝（３８）に係合されることを特徴とする、請求項３に記載の装置。
【請求項５】
前記解放要素（４６）が、前記シリンダ軸に対して平行に移動可能なボルトであり、支持面（５６）を有し、前記支持面（５６）が、前記シリンダ軸に対して傾斜しており、かつ前記ロック解除要素（２８）が前記溝（３８）に係合すると、前記解放要素（４６）のその第２位置からその第１位置への移動中に前記留め要素（４０）に当接し、その結果、前記溝（３８）から前記留め要素（４０）を離脱させるように形成されたことを特徴とする、請求項４に記載の装置。
【請求項６】
前記留め要素（４０）が、前記解放要素（４６）が通過する前記シリンダ軸に対して平行な凹部（４４）を有し、
前記解放要素（４６）の前記支持面（５６）が前記凹部（４４）の前記壁の一部に当接することを特徴とする、請求項５に記載の装置。
【請求項７】
前記留め要素（４０）が外部からアクセス可能な作動部（４３）を有し、それを介して、前記結合部（１０、１００）が互いに連結された時に、前記溝（３８）に係合する前記留め要素（４０）を前記溝（３８）から手動で離脱することが可能であることを特徴とする、請求項５または６に記載の装置。
【請求項８】
前記第１結合部（１０）が、一方の側が開放しておりかつ前記第２結合部（１００）を収容する箱型本体（１４）を有することを特徴とする、請求項２〜７のいずれか一項に記載の装置。
【請求項９】
前記第１結合部（１０）が、前記本体（１４）の上部領域において対向する側壁（１６、１８）間に延在するロッド（２４）を有し、
前記第２結合部（１００）がその上面にロッド受け（１１２）を有し、そこに前記第１結合部（１０）のロッド（２４）が嵌合されることが可能であり、それにより前記第１結合部（１０）が前記ロッド受け（１１２）で枢動が可能であり、
前記第１ロック要素を形成する前記穴（２６）が、前記第１結合部（１０）の前記本体（１４）の下部領域に配置され、前記第２ロック要素を形成する前記ピン（１１４）が、前記第２結合部（１００）の前記下部領域に配置されることを特徴とする、請求項８に記載の装置。
【請求項１０】
前記第１ロック要素を形成する前記穴（２６）が、前記第１結合部（１０）の側壁（１６）に形成され、
前記本体（１４）の前記開放側に向かって前記穴（２６）に接する前記側壁の一部が、前記穴（２６）内に摺動する前記ピン（１１４）のための傾斜摺動面（６０）を有することを特徴とする、請求項８または９に記載の装置。
【請求項１１】
前記解放要素（４６）が、前記第１結合部（１０）の前記本体（１４）の前記側壁（１６）に形成されたさらなる穴（４８）に移動可能に取り付けられ、前記側壁（１６）から前記本体（１４）の前記内部に突出するように、第４付勢要素（５０）を介してその第１位置に弾性的に付勢され、前記結合部（１０、１００）が互いに連結されると、前記第２結合部（１００）の側面（１１８）からその第２位置に押し込まれることを特徴とする、請求項１０に記載の装置。
【請求項１２】
前記解放要素（４６）の、前記第１位置において前記第１結合部（１０）の前記本体（１４）の内部に突出する部分（５２）が、テーパ形態であることを特徴とする、請求項１１に記載の装置。
【発明の詳細な説明】
【技術分野】
【０００１】
本発明は、手術台に付属品を解放可能に取り付ける装置であって、互いに連結することができる２つの結合部であって、そのうちの第１結合部が付属品に配置され第２結合部が手術台に配置される、結合部と、２つの結合部間の連結をロックしかつロック解除する機構と、を備える装置に関する。
【背景技術】
【０００２】
通常、手術台システムには、手術中に骨折部位を離しておくための付属品を、たとえば脚板または裏板あるいは延長ユニットに解放可能に取り付ける装置が設けられている。こうした装置は、２つの結合部を備えている。これら結合部のうちの一方は付属品に配置されており、他方は手術台に取り付けられている。２つの結合部は、互いに連結されることが可能であり、それにより、手術台に付属品を取り付けるための機械的インタフェースを形成することができる。
【０００３】
付属品を固定するために、２つの結合部の間の連結はロックされなければならない。これを、摩擦連結によって行うことができ、その場合、ロック要素が作動され、たとえばきざみ付きねじが締結されるか、または偏心レバーが入れられる。このタイプのロックには、操作者がロック要素を作動させるのを忘れ、付属品が不注意で手術台から離脱するという危険性がある。さらに、ロック要素が十分な力で作動されず、それにより十分な摩擦連結が確立されないということが起こることが多い。この場合もまた、付属品が不注意で手術台から離脱する可能性がある。
【０００４】
２つの結合部の間の連結のロックを、ポジティブロックによって行うことも可能である。こうしたポジティブロックの一例は、２つの結合部が互いに連結される時に、一方の結合部に弾性的に取り付けられているピンが、他方の結合部に配置されている穴に自動的に係合する、という構成である。こうしたロックには、操作者が、ロック要素を能動的に作動させなくともよいという利点がある。さらに、操作者がロック操作を忘れる危険性がない。手術台から付属品を取り外すためには、操作者はピンと穴との間のポジティブロックを解除しなければならず、すなわち２つの結合部の間の連結をロック解除しなければならない。
【０００５】
この目的のために、操作者が、ロック解除するために対応する要素、たとえば押しボタンまたはばね式レバーを作動させる機構が知られている。この場合、操作者がロック解除要素を作動させなければ、連結はロック解除されない。
【０００６】
他の機構は、要素の作動によって２つのあり得る状態、すなわちロック状態およびロック解除状態のうちの一方がとられ、この状態はこの要素が再び作動されるまで維持される、というように機能する。しかしながら、ここでもまた、操作者が、一旦連結をロック解除し、たとえば付属品を交換すると、ロックを再度作動させることを忘れるという危険性がある。さらに、操作者が連結のロック解除だけでなくロックのためにも機構を作動させなければならないため、操作に比較的時間がかかる。
【発明の概要】
【発明が解決しようとする課題】
【０００７】
従来のロック解除およびロック機構は、それらの操作に関して問題があった。特に、たとえば、患者の両足が同時に載置され、そのため手術台の２つの箇所で固定される、幅の広い脚板がある場合のように、付属品が２つの機械的インタフェースに取り付けられ固定されなければならない場合である。これら２つの箇所の間の距離が非常に遠くて、操作者の両手がこれらの箇所に同時に届かない場合、付属品の取外しは特に困難である。これはまた、付属品が比較的かさばるかまたは重い場合にも当てはまる。こうした付属品では、単一の機械的インタフェースしか設けられていない場合、手術台からの取外しはすでに困難である。この場合、付属品を取り外すために、その重心近くかまたは可能な限り互いに離れている２つの箇所を掴まなければならず、それは、そうしなければ、付属品がてこ作用によって操作者の手から離れ、したがってもはやロック解除する可能性がなくなるためである。
【０００８】
通常、２つの結合部の間の連結のロック解除は、直接インタフェース自体においてのみ可能である。遠隔作動または２つのインタフェースの連結作動は、通常可能ではない。この理由は、空間の問題、費用の考慮、またはＸ線適用の際の輪郭に対する外乱の発生等の手術特有の環境である。この場合、ロック解除要素を、人間工学的に好適な作用点を形成する箇所に配置することができない。
【０００９】
本発明の目的は、特に、２つの結合部の間の連結のロックおよびロック解除に関して操作が容易である、手術台に付属品を解放可能に取り付ける装置を特定することである。
【課題を解決するための手段】
【００１０】
この目的は、２つの結合部間の連結をロックしかつロック解除する機構が、
−ロックするため互いに係合することができ、ロック解除するため互いに離脱することができる、第１結合部に配置された第１ロック要素および第２結合部に配置された第２ロック要素と、
−第１結合部に移動可能に配置された手動作動可能なロック解除要素であって、ロック位置に付勢され、それが２つのロック要素のうちの一方に作用するロック解除位置に、付勢に抗して移動が可能であり、それにより２つのロック要素が互いに離脱する、ロック解除要素と、
−第１結合部に移動可能に配置され、ロック解除要素を付勢に抗してそのロック解除位置で維持する留め要素と、
−第１結合部に移動可能に配置され、第１位置に付勢され、結合部が互いに連結されると第２結合部によって作用され、付勢に抗して第２位置に押し込まれる解放要素と、
を備え、
−解放要素が、その第１位置において留め要素に作用して、留め要素がロック解除要素から離脱するようにする、という点において、本発明によって解決される。
【００１１】
本発明の装置では、３つの異なる状態、すなわち結合部が互いに連結されるロックおよびロック解除状態、ならびに結合部が離脱している場合のロック可能状態（ｒｅａｄｙ−ｔｏ−ｌｏｃｋ）、が考慮される。
【００１２】
ロック状態であり、かつ結合部が互いに連結されている場合、２つのロック要素が互いに係合する。さらに、ロック解除要素がその機械的付勢によってロック位置に配置され、解放要素が第２結合部によってその第２位置に押し込まれる。第２位置では、解放要素は留め要素に作用しない。
【００１３】
ロック解除状態であり、かつ結合部が互いに連結されている場合、ロック解除要素はその機械的付勢に抗してロック解除位置に移動し、その結果、２つのロック要素が互いから離脱するように２つのロック要素のうちの一方に作用する。
【００１４】
ロック可能状態であり、かつ結合部が互いに離脱している場合、解放要素はその機械的付勢により第１位置に配置される。この第１位置では、解放要素が留め要素に対し、留め要素がロック解除要素から離脱するように作用する。これは、留め要素がもはやロック解除要素に作用せず、ロック解除要素がその機械的付勢によりロック位置に配置されていることを意味する。２つの結合部がこの状態で再び互いに連結されると、連結はロックされる。
【００１５】
本発明により、２つの結合部のロック解除および取外しを局部的にかつ時間的に分離することが可能となる。ロック解除は、２つのロック要素のうちの一方に作用するために、したがって２つのロック要素を離脱させるためにそのロック解除位置まで移動する、ロック解除要素を介して行われる。このロック解除動作とは無関係に、２つの結合部を互いから分離することができ、その際、操作者は、人間工学的に掴むのに好適な箇所で付属品を掴む。この観点から、本発明を、手術台に付属品を取り付けるいくつかの機械的インタフェースが設けられる場合に、特に有利に使用することができる。１つの本発明の装置が、これらインタフェースの各々に対して設けられる。まず、これらの装置を連続してロック解除することができる。その後、２つの連結された結合部の各々を互いから分離することができる。
【００１６】
本発明の装置には、特に、結合部が分離されている場合に常にロックされる用意ができている、という利点がある。これは、留め要素の効果、すなわちロック解除要素をそのロック解除状態で維持するという効果を、結合部が分離している場合に無効にする、解放要素によって確実になる。２つの結合部が互いから分離されるとすぐに、本発明の装置は、自動的にロック可能状態になる。したがって、このロック可能状態を確立するために、追加の操作は不要である。特に、この状態に戻すのを忘れる可能性があるという危険性がない。これにより、操作が大幅に容易になる。
【００１７】
有利な実施形態では、第１ロック要素は穴であり、第２ロック要素は移動可能に取り付けられたピンであり、このピンは、結合部が互いに連結されると穴に係合するように、第１付勢要素を介して弾性的に付勢される。付勢要素は、たとえば圧力負荷コイルばねである。この実施形態では、穴およびそこに受け入れられるピンは、技術的な出費はほとんど不要であるがそれにも関わらず信頼できるポジティブロックを確立する。
【００１８】
さらなる実施形態では、ロック解除要素は、穴に摺動可能に取り付けられ、第２付勢要素を介してロック位置に弾性的に付勢され、ピンとは反対側のその端部に外部から作動可能な押しボタンを有し、ピンに面するその端部に、押しボタンの作動時にピンを穴から押し出すシャフトを有する。第２付勢要素を、圧力負荷ばねとして形成することも可能である。押しボタンをこのコイルばねによって加えられるばね力に抗して押すことにより、ロック解除要素のシャフトが穴に係合するピンに当接し、ピンを穴から押し出す。その結果、ポジティブロックが解放される。
【００１９】
本発明の装置の有利な発展形態は、押しボタンが実質的に中空シリンダとして形成されており、そのピンに面している端部は開放しており、そのピンと反対側の端部は閉鎖しており、中空シリンダの外面はシリンダ軸に対して垂直な環状溝を有しており、留め要素がシリンダ軸に対して平行に移動不可能に取り付けられ、シリンダ軸に対して垂直に移動可能に取り付けられている、という点にある。さらに、留め要素は、第３付勢要素を介して中空シリンダの外面に弾性的に付勢され、ロック解除要素のロック解除位置において溝に係合する。第３付勢要素、たとえば圧力負荷コイルばねは、中空シリンダの外面に留め要素を押すため、押しボタンがロック解除のために作動されると、中空シリンダの外面に形成された溝と係合する。溝に係合されている留め要素によって、留め要素が再び溝から離脱するまで、ロック解除状態が維持される。
【００２０】
さらなる実施形態では、解放要素は、シリンダ軸に対して平行に移動可能なボルトであり、支持面を有し、支持面は、シリンダ軸に対して傾斜しており、かつロック解除要素が溝に係合すると、解放要素のその第２位置からその第１位置までの移動中に留め要素に当接し、したがって溝から留め要素を離脱されるように形成されている。したがって、シリンダ軸に対して平行である、解放要素を形成するボルトの移動は、傾斜した支持面により、シリンダ軸に対して垂直な留め要素の移動に変換され、その結果、留め要素は溝から離脱する。互いに垂直であるこれら２つの移動の結合により、ロックおよびロック解除用の機構の特に小型の構造が可能となる。
【００２１】
留め要素が、解放要素が通過するシリンダ軸に対して平行な凹部を有するという点で、かつ解放要素の支持面が凹部の壁の一部に当接するという点で、この小型化をさらに促進することができる。開放要素が凹部を通過するため、特に、押しボタンを形成する中空シリンダのシリンダ軸に対して垂直な機構に対して必要な空間が低減される。
【００２２】
さらなる有利な実施形態では、留め要素は、外部からアクセス可能な作動部を有し、これを介して、溝に係合する留め要素を溝から手動で離脱させることができる。この実施形態では、操作者は、結合部が互いに連結された時に押しボタンの作動によって一旦確立されたロック解除状態を解放することができ、その際、操作者は、留め要素を溝から手動で離脱させる。その結果、ロック解除要素は、第２付勢要素によって加えられる力によって再びロック位置まで移動し、連結がロックされる。したがって、緊急のロックが可能であり、その結果、安全性が向上する。
【００２３】
第１結合部は、たとえば、一方の側が開放しておりかつ第２連結部を収容する箱型本体を有するように形成される。その結果、装置は特に小型構造となる。
【００２４】
さらなる有利な実施形態では、第１結合部が本体の上部領域において対向する側壁間に延在するロッドを有し、第２結合部は、その上面にロッド受けを有し、そこに第１結合部のロッドが嵌合されることが可能であり、それにより第１結合部がロッド受けで枢動することができ、第１ロック要素を形成する穴が本体の下部領域に配置され、第２ロック要素を形成するピンが、第２結合部の下部領域に配置されている。この実施形態では、付属品を手術台に取り付けるために、まず、第１結合部が上方から第２結合部に嵌合され、その後、枢動により第２結合部に配置され、その枢軸は、ロッド受け内に嵌合されるロッドによって与えられる。その結果、各々がそれぞれの結合部の下部領域に配置されている第１ロック要素を形成する穴と第２ロック要素を形成するピンとは、互いに向かって枢動し、接触する。
【００２５】
有利な発展形態では、第１ロック要素を形成する穴は第１結合部の側壁に形成され、本体の開放側に向かって穴に接する側壁の部分は、穴内に摺動する第２結合部のピンのための傾斜摺動面を有する。傾斜摺動面により、摺動面に沿って移動するピンが第１付勢要素によって加えられる力に抗していわば収縮し、それによりこの力によって穴内に伸長し、すなわちそこに係合することが確実になる。したがって、弾性的に取り付けられたピンを傾けることなく、連結を穏やかにロックすることができる。
【００２６】
解放要素は、第１結合部の本体の側壁に形成されたさらなる穴に移動可能に取り付けられることが好ましく、第４付勢要素、たとえば圧力負荷コイルばねを介して弾性的に付勢され、それにより側壁から本体の内部に突出する。結合部が互いに連結されると、解放要素が第２結合部の側壁からその第２位置に押し込まれる。したがって、解放要素は第２結合部と協働して、結合部が互いに連結されている時に留め要素に関して第２結合部により無効にされ、第２結合部がそれに対して作用していない時、留め要素に作用し溝からそれを離脱させる。
【００２７】
有利な発展形態では、解放要素の、第１位置において第１結合部の本体の内部に突出する部分は、テーパ形態を有している。これにより、第２結合部の上述した側壁が解放要素と接触した時、第１結合部の本体の側壁に形成されたさらなる穴に、解放要素が穏やかに収縮することが保証される。
【図面の簡単な説明】
【００２８】
【図１】第１結合部の斜視図である。
【図２】第１結合部の斜視図である。
【図３】第２結合部の斜視図である。
【図４】ロックしロック解除する機構のいくつかの構成要素の斜視図である。
【図５】ロック状態にある本発明の装置の概略図である。
【図６】ロック解除状態にある本発明の装置の概略図である。
【図７】ロック可能状態にある本発明の装置の概略図である。
【発明を実施するための形態】
【００２９】
以下、本発明を、図に関連して好ましい実施形態に基づいて説明する。
【００３０】
図１〜図７において、本発明の装置の好ましい実施形態を例示しているが、本発明はこの実施形態に限定されない。
【００３１】
本装置は、図１および図２に示す第１結合部１０と、図３に示す第２結合部１００とを備えている。第１結合部１０は付属品１２に配置されており、図１には付属品１２のわずかな部分のみを示し、図２にはまったく示していない。こうした付属品の例は、冒頭で説明したタイプの脚板、背板または延長ユニットである。第１結合部１０を、付属品１２と一体的に形成することができ、またはねじ等の好適な取付手段を用いて付属品１２に取り付けることができる。
【００３２】
第２結合部１００は手術台１０２に配置されており、この場合もまた図３には手術台１０２のわずかな部分のみを示す。第２結合部１００もまた、手術台１０２と一体的に形成することができ、またはねじ等の好適な取付手段を用いて手術台１０２に取り付けることができる。第２結合部１００は、手術台１０２の側面に配置されることが好ましい。
【００３３】
２つの結合部１０および１００を備えた装置は、手術台１０２に付属品１２を解放可能に取り付ける機械的インタフェースを形成する。これに関連して、付属品１２はいくつかの結合部１０を有することができる、ということが特に指摘される。この場合、手術台１０２もまた、いくつかの結合部１００を有し、それにより、付属品１２はいくつかの機械的インタフェースを介して手術台１０２に取り付けられる。
【００３４】
この実施形態では、第１結合部１０は一方の側が開放している箱型本体１４を有している。本体１４は、２つの側壁１６および１８と上壁２０と底壁２２とから形成されている。
【００３５】
第２結合部１００は、第１結合部１０の箱型本体１４に受け入れられ得るように形成されている。これは、２つの結合部１０および１００が互いに対して非常に相補的な形状を有していることを意味する。
【００３６】
図３に示す第２結合部１００の実施形態では、端面１０４に連結パネル１０６が位置している。この連結パネル１０６はいくつかの接点１０８を備えている。
【００３７】
図１および図２に示すように、第１結合部１０の本体１４の上部領域において、２つの対向する側壁１６および１８間にロッド２４が延在している。図３に示すように、第２結合部１００の上面には、ロッド２４に適合されるロッド受け１１２がある。ロッド２４およびロッド受け１１２は、後により詳細に説明するように、２つの結合部を互いに連結するために設けられている。
【００３８】
以下、２つの結合部１０および１００の間の連結をロックしかつロック解除する役割を果たす機構について説明する。この機構は、第１結合部１０に形成された構成要素と第２結合部１００に形成された構成要素とを有している。
【００３９】
結合部１００はピン１１４を有しており、それは、図３による斜視図および特に図５〜図７による概略図に示すように、側面１１８に形成されている穴１１６に移動可能に取り付けられている。
【００４０】
ピン１１４は、結合部１０および１００が互いに連結された時に側面１１８から突出するように、第１圧力負荷コイルばね１２０を介して付勢される。
【００４１】
第１結合部１０の側壁１６には、ピン１１４に適合される穴２６が形成されている。図５〜図７に示すように、穴２６にはロック解除要素２８が配置されている。ロック解除要素２８は、特に図４から分かるように、押しボタン３０およびシャフト３２を備えている。図４には、第１結合部に配置されている上述した機構の構成要素の一部を示している。押しボタン３０は、実質的に中空シリンダとして形成されている。この中空シリンダは、箱型本体１４の内部に面した端部では開放しており、本体１４の内部と反対側の端部では閉鎖している。この閉鎖端を図１に示す。
【００４２】
ロック解除要素２８は、第２圧力負荷コイルばね３４を介してロック位置に弾性的に付勢され、ロック位置では、シャフト３２が穴２６に埋められる。このロック位置では、箱型本体１４の内部に面している穴２６の部分は何もない状態である。第２結合部１００の側壁１１８から突出するピン１１４の部分は、穴２６のこの部分に係合することができる。
【００４３】
コイルばね３４は、ロック解除要素２８をそのロック位置に、すなわち図４（そこでは特にコイルばねが省略されている）における右上側に向かって付勢するように、たとえば、シャフト３２を包囲し、一端が中空シリンダとして形成されている押しボタン３０に着座し、他端が穴２６に形成された肩部を圧接するように、構成されることが可能である。この目的のために、穴２６は、たとえば段付きである（図５〜図７参照）。
【００４４】
図４に示すように、押しボタン３０は、その外面に環状溝３８を有しており、その溝は押しボタン３０のシリンダ軸に対して垂直である。溝３８は、ロック解除要素２８がロック解除位置内に、すなわち図４において左側に向かって下方に押される時、留め要素４０に係合するように構成されている。留め要素４０は、中空シリンダとして形成されている押しボタン３０のシリンダ軸に対して平行には移動不可能であるが、シリンダ軸に対して垂直に移動可能であるように取り付けられている。留め要素４０は、図４に示さない第３圧力負荷コイルばね４２によって押しボタン３０の外面上に押される。特に図１に示すように、留め要素４０は、操作者が手動で作動させることができる作動部４３を有している。
【００４５】
留め要素４０は、ボルト４６の形態の解放要素が通過する凹部４４を有している。ボルト４６は、押しボタン３０のシリンダ軸に対して平行なさらなる穴４８に取り付けられている。穴４８に着座し圧力負荷がかけられる第４コイルばね５０を介して、ボルト４６は、特に図２に示すように、テーパ端５２が箱型本体１４内に突出する第１位置に付勢される。ボルト４６を、第４コイルばね５０によって加えられるばね力に抗して第２位置に移動させることができ、その第２位置では穴４８に埋められる。
【００４６】
ボルト４６には凹部５４が形成されており、それは、押しボタン３０のシリンダ軸に対して傾斜している部分５６と、上述したシリンダ軸に対して平行でありかつボルト４６の端部５２に向かって傾斜部分５６と接する部分５８と、を有している。後にさらに詳細に説明するように、傾斜部分５６は支持面としての役割を果たし、それにより留め要素４０が溝３８から離脱する。
【００４７】
図２に示すように、穴２６、４８、したがってロック解除要素２８およびボルト４６は本体１４の下部領域に配置されている。側壁１６はその内側に、本体１４の開放側に向かって穴２６と接し、ピン１１４のための傾斜摺動面を形成する部分６０を有している。
【００４８】
以下、いかに付属品１２が手術台１０２に取り付けられ、そこにロックされ、再びロック解除され、最後に取り外されるかを連続して説明する。
【００４９】
最初に、第１結合部１０のロッド２４が第２結合部１００のロッド受け１１２に嵌合され、その結果、付属品１２が手術台１０２に連結される。そうする際、第１結合部１０は、第２結合部１００に対し、第１結合部１０の下部領域が最初は第２結合部１００から間隔がまだ空けられているような角度で嵌合されることが好ましい。そして、第１結合部１０のこの下部領域は、第２結合部１００に向かって枢動で移動し、その枢軸はロッド受け１１２に取り付けられているロッド２４によって与えられる。この枢動において、最初は、第１結合部１０の側壁１６に形成されている傾斜摺動面６０がピン１１４と接触する。そして、摺動面６０は、第１コイルばね１２０によって加えられる付勢力に抗して、ピン１１４を穴１１６内に押し込む。第１結合部１０が、ピン１１４と第１結合部１０の側壁１６に形成された穴２６とが互いに整列するほど第２結合部１００に向かって枢動するとすぐに、この時点で圧力負荷が加えられているコイルばね１２０が伸長し、それによりピン１１４を穴２６に押し込む。同時に、第２結合部１００の側面１１８がボルト４６のテーパ端５２に当接する。その結果、ボルト４６が、第４コイルばね５０によって加えられるばね力に抗して穴４８に押し込まれる。ピン１１４および穴２６が互いに係合するとすぐに、２つの結合部１０および１００間の連結がポジティブロックされる。このロック状態を図５に概略的に示す。
【００５０】
２つの結合部１０および１００間の連結をロック解除するためには、操作者は、ロック解除要素２８の押しボタン３０を外側から押す。押しボタン３０に接するシャフト３２は、コイルばね３４および１２０によって加えられるばね力に抗して、穴２６に着座しているピン１１４に対して押され、その結果、ピンは穴２６から押し出される。ロック解除要素２８は、図５に示すそのロック位置から出てそのロック解除位置に移動する。ロック解除位置に達するとすぐに、第３コイルばね４２が留め要素４０を押しボタン３０の溝３８に押し込む。留め要素４０が溝３８に係合すると、ロック解除要素２８は、コイルばね３４および１２０によって加えられるばね力に抗してロック解除位置に維持される。その結果、ピン１１４と穴２６との間のポジティブロックが解放され、２つの結合部１０および１００の連結がロック解除される。このロック解除状態を図６に概略的に示す。
【００５１】
図６に示すようなロック解除状態から開始して、第１結合部１０を、ロックに対して行った枢動と反対の動作で、第２結合部１００から離れる方向に枢動させることができる。ボルト４６のテーパ端５２が第２結合部１００の側面１１８から離脱するとすぐに、第４コイルばね５０がボルト４６を穴４８から押し出して箱型本体１４の内部に押し込む。図４では左下側に向けられ図７では上方に向けられるボルト４６のこの移動中、留め要素４０の凹部４４の壁が、傾斜支持面５６の領域においてボルト４６に形成されている凹部５４と接触する。したがって、この動作時、傾斜支持面５６により、ロック解除要素２８の溝３８から留め要素４０が離脱する。留め要素４０が溝３８から離脱するとすぐに、第２コイルばね３４がロック解除要素２８を再びそのロック位置に、すなわちロック解除要素２８のシャフト３２が穴２６に埋められる位置に押し込み、それにより、穴２６に、ピン１１４が係合する空間が得られる。第１結合部１０を取り外すことにより、本発明の装置は、ロック可能状態になる。
【００５２】
本実施形態で使用するコイルばね３４、４２、５０および１２０は、上述した機能にしたがって寸法が決められるべきである。たとえば、圧力負荷第４コイルばね５０に蓄積されるエネルギーは、留め要素４０を第３コイルばね４２によって加えられるばね力に抗して溝３８から離脱させるために、十分高いということが、考慮されなければならない。
【００５３】
結合部１０および１００が互いに連結されると、操作者がまた、作動部４３を用いて留め要素４０を溝３８から離脱させることができる、ということが指摘される（図１を参照）。
【図１】
2010512818.tif 000003
【図２】
2010512818.tif 000004
【図３】
2010512818.tif 000005
【図４】
2010512818.tif 000006
【図５】
2010512818.tif 000007
【図６】
2010512818.tif 000008
【図７】
2010512818.tif 000009
【国際調査報告】
2010512818.tif 000010
2010512818.tif 000011
2010512818.tif 000012
2010512818.tif 000013